(57)【要約】【課題】オプション部材を照明器具の本体に強固に固定し得る照明器具を提供する。【解決手段】本発明に係る照明器具１は、器具本体２にオプション部材４が取り付けられる照明器具１であって、器具本体２は溝部２２２を有し、オプション部材４は、スリットを備える枠部４１と、スリットを貫通して外部へ突出可能であり、突出した状態で溝部に嵌るバネ部材（４２２ａ）とを備え、枠部４１は、バネ部材（４２２ａ）に接してバネ部材（４２２ａ）が突出した状態を固定するロック機構を有する。【選択図】図１
2020170601.tif 000002
【特許請求の範囲】
【請求項１】
器具本体にオプション部材が取り付けられる照明器具であって、
前記器具本体は溝部を有し、
前記オプション部材は、
スリットを備える枠部と、
前記スリットを貫通して外部へ突出可能であり、突出した状態で前記溝部に嵌るバネ部材とを備え、
前記枠部は、前記バネ部材に接して前記バネ部材が突出した状態を固定するロック機構を有する
照明器具。
【請求項２】
前記バネ部材は、端部に立設するつまみ部を備え、
前記ロック機構は、前記枠部の内周から内側に向けて突出するストッパであり、前記ストッパの縁に前記つまみ部が接する
請求項１記載の照明器具。
【請求項３】
前記バネ部材は、リングバネで構成される
請求項１又は２記載の照明器具。
【請求項４】
前記バネ部材は、端部に立設するつまみ部を備え、
前記枠部は、案内穴部を備え、
前記ロック機構は、前記案内穴部の縁から内側に向けて突出するストッパであり、前記ストッパの縁に前記つまみ部が接する
請求項１記載の照明器具。
【請求項５】
前記ストッパの前記縁は、凹部を有し、
前記つまみ部が前記凹部に嵌る、
請求項２から４のいずれか１項記載の照明器具。
【請求項６】
前記器具本体はバッフルを備え、
前記器具本体が有する溝部は、光を拡散させるために前記バッフルに設けられた２個の段部と段部の間に位置する
請求項１から５のいずれか１項記載の照明器具。
【発明の詳細な説明】
【技術分野】
【０００１】
本発明は、照明器具に関する。
【背景技術】
【０００２】
特許文献１には、照明器具において、スリット、ルーバー等のオプション部材（前面部材）と、フードとをリングバネで固定する照明器具が開示されている。より具体的には、フードの先端部内側にリングバネを装着し、リングバネの一部を凸状曲成部とし、フードの先端部に形成された周方向のスリットからフードの外側に突出させる。そして、オプション部材の保持枠に、凸状曲成部が嵌合する周方向のスリットを設け、保持枠をフードの先端部外側に嵌め込む構造としている。
【先行技術文献】
【特許文献】
【０００３】
【特許文献１】特開平１１−１６２２２９号公報
【発明の概要】
【発明が解決しようとする課題】
【０００４】
しかしながら、上述の照明器具では、リングバネが円環状の一部を切り欠いた有端環状を有しており、フードが備えるリングバネの凸状曲成部が、オプション部材の保持枠のスリットに嵌っていたとしても、凸状曲成部にリングバネの円環中心方向への力がかかると、リングバネがすぼんで凸状曲成部がスリットから外れ、前面部材がフードから外れてしまう可能性がある。このため、上述のような照明器具では、万が一、オプション部材がフードから外れてしまう場合に備えて、オプション部材と照明器具の本体とを繋ぐ落下防止ワイヤを備えていた。このような落下防止ワイヤは、部材の増加、組立工程の増加などコスト増の要因となり得るものであった。
【０００５】
本発明は、係る問題に鑑みてなされたものであり、オプション部材を照明器具の本体に強固に固定し得る照明器具を提供することを目的とする。
【課題を解決するための手段】
【０００６】
上記課題を解決するために本発明に係る照明器具は、器具本体にオプション部材が取り付けられる照明器具であって、前記器具本体は溝部を有し、前記オプション部材は、スリットを備える枠部と、前記スリットを貫通し外部へ突出し前記溝部に嵌る凸状曲部を備えた有端環状のリングバネとを備え、前記枠部は、前記リングバネの縮径を妨げるロック機構を有する。
【発明の効果】
【０００７】
上述の構成により、本発明に係る照明器具は、オプション部材を器具本体に強固に固定することができる。
【図面の簡単な説明】
【０００８】
【図１】本発明の第１の実施形態に係る照明器具を表す下方斜視図
【図２】（ａ）図１の照明器具が備えるオプション部材の下面側からみた斜視図、（ｂ）同オプション部材の側面図、（ｃ）同オプション部材の、図１のＡ−Ａ断面模式図
【図３】図２のオプション部材を構成する枠部の上面側からみた斜視図
【図４】（ａ）図３の枠部の底面図、（ｂ）図３のオプション部材を構成するリングバネの底面図
【図５】（ａ）オプション部材がロック状態である場合のリングバネの底面図及び側面図、（ｂ）同場合のリングバネが備えるつまみ部と、枠部が備えるストッパとの位置関係を表す図、（ｃ）同場合に、枠部が備えるスリットの内側から外側へ、リングバネが備える凸状曲部が突出した状態を表す図、（ｄ）オプション部材が開放状態である場合のリングバネの底面図及び側面図、（ｅ）同場合のつまみ部とストッパとの位置関係を表す図、（ｆ）同場合に、スリットと凸状曲部の位置関係を表す図、
【図６】（ａ）オプション部材が開放状態からさらに縮径した場合のリングバネの底面図及び側面図、（ｂ）同場合のリングバネが備えるつまみ部と、枠部が備えるストッパとの位置関係を表す図、（ｃ）同場合に、枠部の表面と、凸状曲部の最外部が面一になった状態を表す図
【図７】（ａ）本発明の一変形例に係る凹みを設けたストッパを備える枠部を示す図、（ｂ）同枠部のストッパ部分付近を拡大した図
【図８】本発明の一変形例に係る、２個の凸状曲部のうち一方が枠部から突出し、枠部に収納され、他方が突出したままであるよう構成したハニカムルーバーについて説明するための図
【図９】（ａ）本発明の第２の実施形態に係るロック機構について説明するための図、（ｂ）バネ部材の外観を表す斜視図、（ｃ）図９（ａ）の部分Ｐ９に係る案内穴部付近を拡大した図
【図１０】（ａ）収容状態かつロック状態でのバネ部材の位置を模式的に示す図、（ｂ）開放状態でのバネ部材の位置を模式的に示す図、（ｃ）突出状態かつロック状態でのバネ部材の位置を模式的に示す図
【図１１】（ａ）本発明の第３の実施形態に係るハニカムルーバーを下側からみた場合の模式図、（ｂ）同ハニカムルーバーの枠部に設けられた軸穴部及び案内穴部について説明するための図、（ｃ）バネ部材を示す底面図、（ｄ）バネ部材を示す斜視図、（ｅ）収容状態でのバネ部材の位置を模式的に示す図、（ｆ）開放状態でのバネ部材の位置を模式的に示す図、（ｇ）突出状態かつロック状態でのバネ部材の位置を模式的に示す図
【図１２】本発明の一変形例に係る、枠部から突出する樹脂部材を備えたハニカムルーバーを表す図
【発明を実施するための形態】
【０００９】
＜１．第１の実施形態＞
以下、本発明の一実施形態に係る照明器具１について図面を参照しながら説明する。
【００１０】
照明器具１は、図１に示すように、天井などの取付対象に設けられた取付穴に取り付けられる枠体３、枠体３に取り付けられる器具本体２、及びオプション部材の一例として器具本体２に取り付けられるハニカムルーバー４を備える。
【００１１】
器具本体２は、ヒートシンク２１、フード２２、コーン２３及び光源モジュール２４を備える。フード２２は、円筒状の部材であり、円筒内周面にはハニカムルーバー４を取り付けるための複数の溝部２２２が設けられている。
【００１２】
＜ハニカムルーバー４＞
ハニカムルーバー４は、図１及び図２（ａ）〜（ｃ）に示すように、枠部４１、リングバネ４２及びルーバー部４３を備える。ハニカムルーバー４の外径は、フード２２の円筒の内径より若干短く、枠部４１から外方へ突出する後述の凸状曲部４２２ａ及び凸状曲部４２２ｂがフード２２の溝部２２２に嵌ることにより、ハニカムルーバー４が器具本体２に固定される。
【００１３】
＜枠部４１＞
枠部４１は、ハニカムルーバー４の外観を構成する円環状の部材であり、図３及び図４（ａ）に示すように、平板状かつ環状の底板部４１１の外周部から側壁部４１２が立設し、底板部４１１の内周部から板状の規制部４１３ａ〜４１３ｄが立設する。さらに、枠部４１は、内周から円環中心側に突出する台形板状のストッパ４１４ａ及びストッパ４１４ｂを備える。側壁部４１２には、周方向に沿いスリット４１５ａ及びスリット４１５ｂが設けられている。スリット４１５ａ及びスリット４１５ｂは、円環中心を挟んで対称の位置に配されている。なお、本実施形態では、ハニカムルーバー４における図２（ｂ）に示すＤ１側、すなわち照明器具１が天井に取り付けられた場合の床面側を下方とし、Ｄ２側、すなわち床面側からみて天井側を上方とする。
【００１４】
枠部４１においては、図２（ｃ）及び図３に示すように、底板部４１１、側壁部４１２及び規制部４１３ａ〜４１３ｄに囲まれた空間Ｓにリングバネ４２が配され、その上方に、ルーバー部４３が配される。
【００１５】
＜リングバネ４２＞
リングバネ４２は、棒状の金属部材を折り曲げて形成されたバネ部材である。リングバネ４２は、より具体的には、図４（ｂ）に示すように環状の一部に切り欠きＣが設けられた有端環状のリングバネであり、各端部につまみ部４２３ａ及びつまみ部４２３ｂを備え、円環中心からみて端部からおおよそ９０°の角度を成す位置に凸状曲部４２２ａ及び凸状曲部４２２ｂを備える。リングバネ４２は、ユーザーがつまみ部４２３ａ及びつまみ部４２３ｂに対し、お互いに近づく方向（一例として図５（ａ）の方向Ｄ１１、Ｄ１２参照）に力を加えることによりリングの径が縮まった状態（以下「縮径状態」という）となり、また、お互いに離れる方向（一例として図５（ｄ）の方向Ｄ２１、Ｄ２２参照）に力を加えることによりリングの径が広がった状態（以下「拡径状態」という）となる。
【００１６】
＜ロック機構＞
ハニカムルーバー４は、リングバネ４２が枠部４１の空間Ｓに配された状態で拡径状態になると、凸状曲部（４２２ａ、４２２ｂ）が枠部４１（より詳細には側壁部４１２）の外方へ突出する状態（以下「突出状態」という。図５（ａ）及び図５（ｃ）参照）となり、縮径状態になると、凸状曲部（４２２ａ、４２２ｂ）が枠部４１の内部へ収容されている状態（以下「収容状態」という。図５（ｄ）及び図５（ｆ）参照）となる。
【００１７】
ここで、ユーザーは、リングバネ４２を拡径状態にする場合、図５（ｂ）に示すように、つまみ部４２３ａ及びつまみ部４２３ｂを把持してお互いに離れる方向に移動させ、最終的に、つまみ部４２３ａをストッパ４１４ａにおける、ストッパ４１４ｂから離れている側の辺（Ｅ１２）に接する位置に移動させ、つまみ部４２３ｂをストッパ４１４ｂにおける、ストッパ４１４ａから離れている側の辺（Ｅ２２）に接する位置に移動させる。このときのつまみ部４２３ａ及びつまみ部４２３ｂの位置を以下「ロック位置」という。
【００１８】
この状態では、リングバネ４２の縮径しようとする弾性力でつまみ部４２３ａが辺Ｅ１２に押し付けられる力及び摩擦力、つまみ部４２３ｂが辺Ｅ２２に押し付けられる力及び摩擦力等によって、つまみ部４２３ａとつまみ部４２３ａとがこの位置から動きにくいようロックされた状態（以下「ロック状態」という）となる。すなわち、ストッパ４１４及びストッパ４１４ｂは、このような簡易な構成で実現され、かつロック状態を維持するためのロック機構として機能している。このロック状態では、凸状曲部４２２ａがスリット４１５ａを通じて外へ向けて突出して円環中心側へ引っ込まないよう固定され、凸状曲部４２２ｂがスリット４１５ｂを通じて外方へ向けて突出し円環中心方向へ引っ込まないよう固定されている。
【００１９】
一方、ロック状態を解除する場合、ユーザーがつまみ部４２３ａ及びつまみ部４２３ｂを把持して、つまみ部４２３ａ及びつまみ部４２３ｂを互いに近づく方向、一例として図５（ａ）に示すように、つまみ部４２３ａをストッパ４１４ａの縁に沿ってＤ１１方向へ動かし、つまみ部４２３ｂをストッパ４１４ｂの縁に沿ってＤ１２方向へ動かす。そうすると、凸状曲部４２２ａがＤ１５方向へ動き、凸状曲部４２２ｂがＤ１６方向へ動いて、リングバネ４２は縮径状態になる（図５（ｄ）〜図５（ｆ））。このとき、凸状曲部４２２ａ及び凸状曲部４２２ｂは、枠部４１の円環中心方向へ引っ込まないよう固定されていない状態（以下「開放状態」という）である。
【００２０】
開放状態では、つまみ部４２３ａはストッパ４１４ａの辺Ｅ１１に接し、ストッパ４１４ａの縁に沿って移動可能となり、つまみ部４２３ｂはストッパ４１４ｂの辺Ｅ２１に接し、ストッパ４１４ｂの縁に沿って移動可能となる。そして、図５（ｄ）及び図５（ｆ）に示すように、凸状曲部４２２ａは、側壁部４１２のスリット４１５ａから側壁部４１２の表面Ｓ１よりも少し外方へ突出した状態になり、凸状曲部４２２ｂは、凸状曲部４２２ａの場合と同様に、側壁部４１２のスリット４１５ａから側壁部４１２の表面Ｓ１よりも少し外方へ突出した状態になる。
【００２１】
また、凸状曲部４２２ａ及び凸状曲部４２２ｂに対し、さらに円環中心方向の力が加わると、図６（ｃ）に示すように、凸状曲部４２２ａ及び凸状曲部４２２ｂは、さらに、円環中央方向に移動し、凸状曲部４２２ａと側壁部４１２の表面Ｓ１とが面一にまでなり得、凸状曲部４２２ｂと側壁部４１２の表面Ｓ１とが面一にまでなり得る（図６（ａ）〜図６（ｃ）参照）。
【００２２】
よって、開放状態で、ハニカムルーバー４をフード２２の内側に挿入すると、凸状曲部４２２ａ及び凸状曲部４２２ｂは、フード２２の溝部２２２間の山部に接し円環中心方向への力が加わる場合には、円環中心方向に移動し、フード２２の溝部２２２間の山部に接しない場合には、外側へ向けて移動しフード２２の溝部２２２に嵌り込む。このように、凸状曲部４２２ａ及び凸状曲部４２２ｂが溝部２２２に嵌り込んでいる場合には、ハニカムルーバー４は、フード２２、ひいては器具本体２に取り付けられた状態になる。
【００２３】
この状態で、ハニカムルーバー４のつまみ部４２３ａ及びつまみ部４２３ｂを把持し、互いに離れさせて突出状態にするとともにロック状態とすることで、ハニカムルーバー４が、容易に器具本体２から外れることは無くなる。
【００２４】
＜２．第２の実施形態＞
第１の実施形態では、凸状曲部４２２ａ及び凸状曲部４２２ｂをリングバネ４２として一体的に構成していたが、これに限らずハニカムルーバー４などのオプション部材を器具本体２に取り付けて固定できる構成であれば足り、それぞれが凸状曲部を有する複数の部材で構成してもよい。
【００２５】
本実施形態に係るハニカムルーバー６００は、図９（ａ）に示すように、枠部６１０、バネ部材６３０及びバネ部材６５０を備える。枠部６１０は、以下で特に説明する部分を除き、枠部４１と構成を共通にする。
【００２６】
ハニカムルーバー６００は、バネ部材６３０及びバネ部材６５０が、枠部６１０の側壁部のスリットから外方へ突出した突出状態、及び枠部６１０の内部に収容された収容状態となり得、突出状態及び収容状態のそれぞれにおいて、容易に他方の状態とならないようロックされたロック状態となり得る。
【００２７】
バネ部材６３０は、棒状の金属部材を折り曲げて形成され、つまみ部６３０ａ、部分６３０ｂ、部分６３０ｃ、部分６３０ｄ及びつまみ部６３０ｅを備える。バネ部材６３０は、一例として図９（ｂ）に示すように、部分６３０ｂと部分６３０ｃとが鈍角を成し、部分６３０ｃと部分６３０ｄとが鈍角を成している。また、つまみ部６３０ａは、部分６３０ｂに対し直角に折り曲げられて起立した部分であり、つまみ部６３０ｅは、部分６３０ｄに対し直角に折り曲げられて起立した部分である。バネ部材６３０の部分６３０ｂ、部分６３０ｃ及び部分６３０ｄが第１の実施形態における凸状曲部４２２ａに相当する（以下「凸状曲部６３０ｇ」という）。なお、つまみ部６３０ａと部分６３０ｂの成す角、及びつまみ部６３０ｅと部分６３０ｄの成す角は直角にする必要はなく、鋭角又は鈍角で構成してもよい。
【００２８】
バネ部材６３０は、ユーザーがつまみ部６３０ａ及びつまみ部６３０ｅをつまんでお互いが近接するように力を加えることで、部分６３０ｂと部分６３０ｄとの距離が縮まるよう変形する（以下「変形状態」という）。このとき、バネ部材６３０には、部分６３０ｂと部分６３０ｄとの距離が離れる方向に弾性力が生じる。この状態で、ユーザーがつまみ部６３０ａ及びつまみ部６３０ｅに力を加えるのをやめると、弾性力により、部分６３０ｂと部分６３０ｄとの距離が離れた状態に戻る（以下「基本状態」という）。
【００２９】
枠部６１０は、枠部４１と同様の構成を備えるが、ストッパ４１４ａ及びストッパ４１４ｂに代えて、案内穴部６１１、案内穴部６１２、案内穴部６１３、案内穴部６１４、ストッパ６１０ａ及びストッパ６１０ｂを備える。
【００３０】
図９（ａ）に示すように、案内穴部６１１には、バネ部材６３０のつまみ部６３０ａが、枠部６１０の外側へ向かって突出するように挿通され、案内穴部６１２には、バネ部材６３０のつまみ部６３０ｅが、枠部６１０の外側へ向かって突出するように挿通される。ユーザーは、つまみ部６３０ａ及びつまみ部６０３ｅをつまむことが可能になっている。つまみ部６３０ａは案内穴部６１１に案内されて移動可能であり、つまみ部６３０ｂは案内穴部６１２に案内されて移動可能になっている（図１０（ａ）〜図１０（ｃ）参照）。
【００３１】
案内穴部６１１は、図９（ｃ）に示すように、穴の内側へ向けて舌状に突出するストッパ６１０ａを挟んで位置する領域６１１ａ及び領域６１１ｃと、それら領域を繋ぐ領域６１１ｂを有する。案内穴部６１２は、穴の内側へ向けて舌状に突出するストッパ６１０ｂを挟んで位置する領域６１２ａ及び領域６１２ｃと、それら領域を繋ぐ領域６１２ｂを有する。
【００３２】
図１０（ｃ）に示すように、つまみ部６３０ａが案内穴部６１１の領域６１１ｃに位置し、つまみ部６３０ｂが案内穴部６１２の領域６１２ｃに位置する場合、図９（ａ）に部分Ｐ９として示すように、凸状曲部６３０ｇが枠部６１０の円環外方へ向けて突出した突出状態となる。
【００３３】
一方、図１０（ａ）に示すように、つまみ部６３０ａが案内穴部６１１の領域６１１ａに位置し、つまみ部６３０ｅが案内穴部６１２の領域６１２ａに位置する場合に、バネ部材６３０が枠部６１０内に収まった収容状態になる。なお、図９（ａ）の部分Ｐ１０に、バネ部材６５０が収容された状態になった例を示している。
【００３４】
ここで、つまみ部６３０ａが、案内穴部６１１の領域６１１ａ及び領域６１１ｃに留まっている状態では、バネ部材６３０が広がろうとする弾性力や、つまみ部６３０ａと案内穴部６１１の内周縁、特にストッパ６１０ａの縁との摩擦力などにより、ユーザーにより、動かされない限り一方の領域から他方の領域へ移動しないよう固定されたロック状態となっている。また、つまみ部６３０ｅが、案内穴部６１２の領域６１２ａ及び領域６１２ｃに留まっている状態では、バネ部材６３０が広がろうとする弾性力や、つまみ部６３０ａと案内穴部６１２の内周縁、特にストッパ６１０ｂの縁との摩擦力などにより、ユーザーにより、動かされない限り一方の領域から他方の領域へ移動しないよう固定されたロック状態となっている。すなわち、ストッパ６１０ａ及びストッパ６１０ｂは、ロック機構として機能しており、またこのような簡易な構成により実現されている。
【００３５】
バネ部材６５０は、バネ部材６３０と同様の機能を有し、案内穴部６１１及び案内穴部６１２は、案内穴部６１３及び案内穴部６１４と同様の機能を有する。
【００３６】
＜３．第３の実施形態＞
第２の実施形態では、１つのバネ部材につき、２つのつまみ部を２つの案内穴部に沿って移動させる構成としていたが、これに限らず、バネ部材が有する凸状曲部を突出させ及び枠部に収容し、ロックできる構成であれば足りる。例えば、つまみ部の一方を回転軸として、回転により突出させ、また収容する構成としてもよい。
【００３７】
本実施形態に係るハニカムルーバー８００は、図１１（ａ）に示すように、枠部８１０、バネ部材８３０及びバネ部材８５０を備える。ハニカムルーバー８００は、バネ部材８３０及びバネ部材８５０が枠部８１０の側壁部のスリットから外方へ突出した突出状態（図１１（ａ）の部分Ｐ１１参照）となり、また枠部８１０の内部に収容された収容状態（図１１（ａ）の部分Ｐ１２参照）となり、また、突出状態及び収容状態のそれぞれにおいて、容易に他の状態とならないよう固定されたロック状態となり得る。
【００３８】
バネ部材８３０は、図１１（ｃ）及び図１１（ｄ）に示すよう、軸部８３０ａ、部分８３０ｂ、部分８３０ｃ、部分８３０ｄ及びつまみ部８３０ｅを有する。軸部８３０ａ、部分８３０ｂ、部分８３０ｃ、部分８３０ｄ及びつまみ部８３０ｅは、それぞれ、バネ部材６３０におけるつまみ部６３０ａ、部分６３０ｂ、部分６３０ｃ、部分６３０ｄ及びつまみ部６３０ｅに相当する部分であるが、バネ部材８３０が軸回転するのに適するよう、プロポーション、部分それぞれが相互に成す角度がバネ部材６３０とは変更されている。より具体的には、部分８３０ｄが部分８３０ｂより長さが短く構成され、部分８３０ｄと部分８３０ｃとの成す角度が、部分８３０ｂと部分８３０ｃとの成す角度よりも狭く構成されている。
【００３９】
枠部８１０は、原則、枠部６１０と同様の構成を備えるが、案内穴部６１１、案内穴部６１２、案内穴部６１３及び案内穴部６１４に代えて、図１１（ａ）に示すように、回転軸が挿通される軸穴部８１１及び軸穴部８１３、並びに案内穴部８１２及び案内穴部８１４を備える。図１１（ａ）に示す部分Ｐ１１及び部分Ｐ１２として囲った内側の構成は、枠部８１０の円環中心を中心とした回転対称になっており、同様の構成、機能を有している。
【００４０】
軸穴部８１１の径は、軸部８３０ａの径より若干大きく形成されている。軸穴部８１１は、軸部８３０ａに挿通され、軸部８３０ａが回転軸として機能する。
【００４１】
案内穴部８１２は、図１１（ｂ）に示すように、穴の内側へ向けて舌状に突出するストッパ８１０ａを挟んで位置する領域８１２ａ及び領域８１２ｃと、それら領域を繋ぐ領域８１２ｂを有する。案内穴部８１２には、つまみ部８３０ｅが挿通される。ユーザーが、つまみ部８３０ｅを把持し、案内穴部８１２の縁に沿って動かすことで、バネ部材８３０が軸部８３０ａを中心に回転する（図１１（ｅ）〜図１１（ｇ））。つまみ部８３０ｅが領域８１２ｂに位置するときに、バネ部材８３０が枠部８１０から突出した突出状態となり、つまみ部８３０ｅが領域８１２ａに位置するときに、バネ部材８３０が枠部８１０に収容される収容状態になる。ここで、つまみ部８３０ｅが、案内穴部８１２の領域８１２ｂに留まっている状態では、バネ部材８３０が広がろうとする弾性力や、つまみ部８３０ｅと案内穴部８１２の内周縁、特にストッパ８１０ａの縁との摩擦力などにより、ユーザーによって動かされない限り移動しないロック状態となる。すなわち、ストッパ８１０ａ及びストッパ８１０ｂは、ロック機構として機能し、また簡易な構成により実現される。
【００４２】
つまみ部８３０ｅが、案内穴部８１２の領域８１２ｂに留まっていない状態では、領域８１２ａ及び８１２ｃを移動し得る開放状態となる。
【００４３】
バネ部材８５０は、バネ部材８３０と同様の構成、機能を有し、軸穴部８１３は軸穴部８１１と同様の構成、機能を有し、案内穴部８１４は、案内穴部８１２と同様の構成、機能を有する。
【００４４】
＜４．変形例＞
以上、本発明に係る照明器具の実施形態を説明したが、例示した照明器具を以下のように変形することも可能であり、本発明が上述の実施形態で示した通りの照明器具に限られないことは勿論である。
【００４５】
（１）上述の実施形態では、オプション部材を一例としてハニカムルーバーとしたが、これに限らず、上述の構成により取り付け可能な部材であれば足りる。例えば、ルーバー、拡散レンズなどのレンズ、ガラス板、蓋材などであってもよい。
【００４６】
（２）上述の実施形態では、ハニカムルーバー４は、フード２２の内周面に設けられた溝部２２２に嵌め込むこととしたが、これに限らず、溝部を有する同様の構造を備える取付対象に、取り付けることができる。例えば、ハニカムルーバー４は、バッフルが有する、光を拡散させるための段部と段部の間（溝部）に嵌め込むこととしてもよい。
【００４７】
（３）上述の実施形態では、上述の実施形態では、ストッパ４１４ａ及び４１４ｂを台形板状としたが、これに限るものではなく、つまみ部４２３ａがストッパ４１４ａに接触し、つまみ部４２３ｂがストッパ４１４ｂに接触した場合に、つまみ部４２３ａ及びつまみ部４２３ｂの位置が変わりにくい形状であれば足りる。例えば、矩形であってもよいし、曲線で構成されてもよい。
【００４８】
（４）上述の実施形態では、ストッパ４１４ａ及びストッパ４１４ｂは、矩形状に形成することとしていたがこれに限らない。例えば、ストッパ４１４ａ及びストッパ４１４ｂを変形し、ロック状態にてつまみ部４２３ａ及びつまみ部４２３ｂがストッパ４１４ａ及びストッパ４１４ｂに嵌り込むような構造としてもよい。具体的な一例として、枠部４１に代えて、図７（ａ）及び図７（ｂ）に示すような、凹みを設けた辺Ｅ４１を備えるストッパ４６４ａ、及び凹みを設けた辺Ｅ４２を備えるストッパ４６４ｂを備える枠部４６としてもよい。これにより、リングバネ４２の弾性力により、つまみ部４２３ａが辺Ｅ４１の凹みに嵌り込んで抑えつけられ、つまみ部４２３ｂが辺Ｅ４２の凹みに嵌り込んで抑えつけられるので、オプション部材が、ロック状態において、さらに、強固に固定されることになる。また、上述の凹みは、図７（ａ）及び図７（ｂ）では、曲線で構成したが、直線、又は、曲線及び直線で構成していてもよい。
【００４９】
（５）上述の実施形態では、２個の凸状曲部（４２２ａ、４２２ｂ）が両方とも枠部４１から突出した状態、枠部４１に収容された状態となり得たが、これに限らない。例えば、一例として図８に示すように、一方（凸状曲部４２２ｂ）は枠部４１から突出した状態で固定されており、他方（凸状曲部４２２ａ）のみ枠部４１から突出した状態及び枠部４１に収容された状態（図８において、凸状曲部４２２ａが枠部４１に収容された状態を表すＰ１参照）となり得ることとしてもよい。この場合、凸状曲部４２２ｂは、枠部４１に収容された状態とならないので、ハニカムルーバー４が、バッフルなどの取付対象に取り付けられた場合により強固に固定される。
【００５０】
また、枠部４１から突出した状態で固定される凸状曲部４２２ｂは、必ずしも、棒状の金属部材を折り曲げて形成されずに他の素材で形成してもよく、例えば、図１２に示すように樹脂部材９５０で構成してもよい。
【００５１】
（６）上述の実施形態及び変形例では、凸状曲部の数を２個としていたが、３個以上であってもよい。また、ハニカムルーバー４を、バッフルなどの取付対象に取り付けたり、取り外したりするのに支障がない限り、複数のうちいくつかの凸状曲部を枠部から突出した状態で固定されたものとしてもよい。
【００５２】
また、枠部から突出する部分は凸状曲部に限らず、図１２に示すように、樹脂など別の素材で形成され、バッフルなどの取付対象の溝に嵌り込むことが可能な形状に形成された樹脂部材９５０などであってもよい。
【００５３】
（７）上述の実施形態及び各変形例を、部分的に組み合せてもよい。
【００５４】
＜５．補足＞
以下、更に本発明の一実施形態としての照明器具の構成及びその変形例と効果について説明する。
【００５５】
（１）本発明の一実施形態に係る照明器具は、器具本体にオプション部材が取り付けられる照明器具であって、前記器具本体は溝部を有し、前記オプション部材は、スリットを備える枠部と、前記スリットを貫通して外部へ突出可能であり、突出した状態で前記溝部に嵌るバネ部材とを備え、前記枠部は、前記バネ部材に接して前記バネ部材が突出した状態を固定するロック機構を有する。
【００５６】
この構成によれば、オプション部材を器具本体に強固に固定することができる。
【００５７】
（２）また、前記バネ部材は、端部に立設するつまみ部を備え、前記ロック機構は、前記枠部の内周から内側に向けて突出するストッパであり、前記ストッパの縁に前記つまみ部が接することとしてもよい。
【００５８】
この構成によれば、簡易な構成で、ロック機構を実現できる。
【００５９】
（３）前記バネ部材は、リングバネで構成されることとしてもよい。
【００６０】
この構成によれば、複数のバネ部材について１つの部材で構成し得る。
【００６１】
（４）また、前記バネ部材は、端部に立設するつまみ部を備え、前記枠部は、案内穴部を備え、前記ロック機構は、前記案内穴部の縁から内側に向けて突出するストッパであり、前記ストッパの縁に前記つまみ部が接することとしてもよい。
【００６２】
この構成によれば、簡易な構成で、ロック機構を実現できる。
【００６３】
（５）また、前記ストッパの前記縁は、凹部を有し、前記つまみ部が前記凹部に嵌ることとしてもよい。
【００６４】
この構成によれば、つまみ部をより移動しにくくでき、オプション部材を器具本体により強固に固定することができる。
【００６５】
（６）また、前記器具本体はバッフルを備え、前記器具本体が有する溝部は、光を拡散させるために前記バッフルに設けられた２個の段部と段部の間に位置することとしてもよい。
【００６６】
この構成により、オプション部材をバッフルに取り付けることができる。
【符号の説明】
【００６７】
１  照明器具
２  器具本体
３  枠体
４、６００、８００  ハニカムルーバー
２１  ヒートシンク
２２  フード
２３  コーン
２４  光源モジュール
４１、４６、６１０、８１０  枠部
４２  リングバネ
４３  ルーバー部
２２２  溝部
４１１  底板部
４１２  側壁部
４１３ａ、４１３ｂ、４１３ｃ、４１３ｄ  規制部
４１４ａ、４１４ｂ、４６４ａ、４６４ｂ、６１０ａ、６１０ｂ、８１０ａ、８１０ｂ  ストッパ
４１５ａ、４１５ｂ  スリット
４２２ａ、４２２ｂ、６３０ｇ  凸状曲部
４２３ａ、４２３ｂ、６０３ｅ、６３０ａ、６３０ｂ、６３０ｅ、８３０ｅ  つまみ部
６１１、６１２、６１３、６１４、８１２、８１４  案内穴部
６３０、６５０、８５０  バネ部材
８１１、８１３  軸穴部
８３０ａ  軸部
９５０  樹脂部材
Ｃ  切り欠き
Ｅ１１、Ｅ１２、Ｅ２１、Ｅ２２、Ｅ４１、Ｅ４２  辺
Ｓ  空間
Ｓ１  表面
【図１】
2020170601.tif 000003
【図２】
2020170601.tif 000004
【図３】
2020170601.tif 000005
【図４】
2020170601.tif 000006
【図５】
2020170601.tif 000007
【図６】
2020170601.tif 000008
【図７】
2020170601.tif 000009
【図８】
2020170601.tif 000010
【図９】
2020170601.tif 000011
【図１０】
2020170601.tif 000012
【図１１】
2020170601.tif 000013
【図１２】
2020170601.tif 000014